(57)【要約】【課題】ノズルの清掃時に、ノズルを手で摘んで引っ張り出すことなく、且つノズルに洗浄水を供給することもなく、ノズルをケーシングから突出させることができる衛生洗浄装置を提供する。【解決手段】ノズル本体２０の後端側に、後方へ向って開放する内孔２３を有するガイドシリンダ部２２が設けられており、この内孔２３内に、後方へ向って伸び出し可能に伸出体４１が挿入されている。伸出体４１は、突出用バネ４２により、内孔２３内から後方へ伸び出す方向に付勢されている。伸出体４１は、ダブルノック式のロック機構により、後方への伸び出しが阻止されている。ノズル本体２０を後方へ１回押すと、伸出体４１のロックが解除され、伸出体４１が突出用バネ４１の付勢力によって後方へ伸び出すことにより、ノズル本体２０が便座ボックス２から突出する。突出したノズル本体２０を後退位置に押し返すと、伸出体４１がロックされ、ノズル本体２０が後退位置に係止される。【選択図】図４
2008214938.tif 000002
【特許請求の範囲】
【請求項１】
洋風便器の後部上面に設置されたケーシング内に配置され、ケーシングから便鉢内に突出した前進位置と、ケーシング内に後退した後退位置とをとるように進退可能なノズルと、
該ノズルに洗浄水を供給する洗浄水供給手段と、
該ノズルを後退方向に付勢する後退用バネと
を備えており、
該ノズルによる洗浄時には、該洗浄水供給手段から該ノズルに洗浄水が供給され、その水圧により、該ノズルが前進してケーシングから突出し、
該洗浄水供給手段からの洗浄水の供給が止まると、該後退用バネの付勢力により該ノズルがケーシング内に後退する衛生洗浄装置において、
非洗浄時に該ノズルをケーシングから突出させるノズル突出機構が設けられており、
該ノズル突出機構は、
該ノズルを突出方向に付勢する突出用バネと、
該ノズルを後退位置にて係止するロック機構と
を備えており、
該突出用バネの付勢力は、前記後退用バネの付勢力よりも大であり、
該ロック機構は、後退位置にある該ノズルを１回押すと係止解除して該ノズルの前進を許容し、前進位置にある該ノズルを後退位置まで押し返すと該ノズルを係止するダブルノック式ロック機構であることを特徴とする衛生洗浄装置。
【請求項２】
請求項１において、該ノズル突出機構は、
該ノズルの後端側に設けられた、後方へ向って開放する内孔を有するガイドシリンダ部と、
該内孔に、後方へ向って伸び出し可能に挿入された伸出体と
を備え、
前記突出用バネは、該伸出体を該内孔内から後方へ伸び出させる方向へ付勢するものであり、
前記ロック機構は、該伸出体が該内孔内から後方へ伸び出すことを阻止するものであることを特徴とする衛生洗浄装置。
【請求項３】
請求項２において、該ガイドシリンダ部の内周面には、略前後方向に延在しており、且つ該ガイドシリンダ部の周方向に互いに等間隔に配置された複数のガイド溝と、
該ガイド溝の前端がそれぞれ連通しており、該ガイドシリンダ部の周方向に延在した周方向溝とが設けられており、
隣り合うガイド溝同士の間における、該周方向溝の底面と該ガイドシリンダ部の内周面との段差面には、該ガイドシリンダ部の周方向に配列された第１及び第２の鋸歯状部が設けられており、
該ガイドシリンダ部の後端側には、後方へ向って突設され、且つ該ガイドシリンダ部の周方向に配列された複数の第３の鋸歯状部が突設されており、
該伸出体の前端側には、該ガイド溝に係合可能な突起が設けられており、
該突起の後端面は、該第１及び第２の鋸歯状部同士の間に噛合可能な鋸歯状となっており、
該伸出体の後端側の外周面には、該第３の鋸歯状部に噛合可能な、該伸出体の周方向に配列された複数の第４の鋸歯状部が設けられており、
該突起が該第１及び第２の鋸歯状部同士の間に噛合した状態にあっては、該伸出体の該内孔からの後方への伸び出しが阻止されており、
ノズルが後方へ押されることにより、該突起が該第１及び第２の鋸歯状部同士の間から前方に離脱すると共に、前記第３の鋸歯状部と第４の鋸歯状部とが噛合して該伸出体が前記ガイドシリンダ部の周方向に回動し、該突起が該第１の鋸歯状部に対面するようになり、
次いで、ノズルを後方へ押す力を解除すると、ノズルが前記突出用バネの付勢力により前進して該突起が該第１の鋸歯状部に接触し、該突起が該第１の鋸歯状部に押し退けられるようにして前記ガイド溝内に入り込み、これにより、該伸出体が前記内孔内から後方へ伸び出し可能となり、
この結果、該ノズルが前記突出用バネの付勢力により前進して前記ケーシングから突出し、
この前進位置にあるノズルを後方へ押し返すと、該突起が該ガイド溝から抜け出して前記周方向溝に入り込むと共に、前記第３の鋸歯状部と第４の鋸歯状部とが噛合して該伸出体が前記ガイドシリンダ部の周方向に回動し、該突起が該第２の鋸歯状部に対面するようになり、
その後、ノズルを後方へ押す力を解除すると、ノズルが前記突出用バネの付勢力により前進して該突起が該第２の鋸歯状部に接触し、該突起が該第２の鋸歯状部に沿って前記第１の鋸歯状部側へ移動し、該第１及び第２の鋸歯状部の間に噛合することを特徴とする衛生洗浄装置。
【発明の詳細な説明】
【技術分野】
【０００１】
本発明は、便器使用者の臀部等を洗浄するための衛生洗浄装置に係り、特に、洋風便器の後部上面に設置されたケーシング内に配置され、ケーシングから便鉢内に突出した前進位置と、ケーシング内に後退した後退位置とをとるように進退可能なノズルを備えた衛生洗浄装置に関する。
【背景技術】
【０００２】
便器使用者の臀部等を洗浄するための衛生洗浄装置が普及している。
【０００３】
この衛生洗浄装置は、洋風便器の後部上面に設置されたケーシング（便座ボックス、ロータンクカバーなど）内に配置され、ケーシングから便鉢内に突出した前進位置と、ケーシング内に後退した後退位置とをとるように進退可能なノズルを備えている。このノズルは、便器使用者の臀部等の洗浄時には、ケーシングから便鉢内に突出し、便器使用者の臀部等に向って洗浄水を噴出する。
【０００４】
ノズルをケーシングから突出させる機構として、ノズルに洗浄水が供給されたときに、その水圧により、ノズルがケーシングから押し出されるように構成されたものが周知である。このノズル突出機構にあっては、ノズルへの洗浄水の供給が止まると、後退用バネの付勢力によりノズルがケーシング内に後退する。
【０００５】
このノズル突出機構を備えた衛生洗浄装置においては、ノズルを清掃する場合には、ノズルを手で摘んでケーシングから引っ張り出す。しかしながら、このようにノズルを手で摘むのは非衛生的であると共に、引っ張り出したノズルを常に一方の手で押えておかなくてはならないため、作業性が悪い。
【０００６】
特開２００１−２３４５７１号公報には、ノズルに供給される洗浄水の流量を調整するための流量調整弁を備えた衛生洗浄装置が記載されている。同号公報では、この流量調整弁のダイヤルを操作して、便器使用者の臀部等を洗浄する場合と、ノズルを清掃する場合とで、ノズルに供給される洗浄水の流量を変える。
【０００７】
同号公報では、ノズルを清掃する場合には、流量調整弁のダイヤルを清掃位置まで回す。この場合、ノズルに微量の洗浄水が供給され、その水圧によりノズルがケーシングから突出する。この際、ノズルに供給される洗浄水の水量が微量であるため、ノズルの先端から噴出する洗浄水の量も微量である。
【０００８】
このように、同号公報の衛生洗浄装置にあっては、ノズル清掃時にも、ノズルが水圧によりケーシングから突出するので、ノズルを手で摘んで引っ張り出す必要がなく、衛生的であると共に、清掃作業の作業性も良好である。
【特許文献１】特開２００１−２３４５７１号公報
【発明の開示】
【発明が解決しようとする課題】
【０００９】
上記特開２００１−２３４５７１号公報の衛生洗浄装置にあっては、ノズルを清掃している間、このノズルから洗浄水が流出し続けるので、水の消費量が多い。
【００１０】
本発明は、ノズルの清掃時に、ノズルを手で摘んで引っ張り出すことなく、且つノズルに洗浄水を供給することもなく、ノズルをケーシングから突出させることができる衛生洗浄装置を提供することを目的とする。
【課題を解決するための手段】
【００１１】
本発明の衛生洗浄装置は、洋風便器の後部上面に設置されたケーシング内に配置され、ケーシングから便鉢内に突出した前進位置と、ケーシング内に後退した後退位置とをとるように進退可能なノズルと、該ノズルに洗浄水を供給する洗浄水供給手段と、該ノズルを後退方向に付勢する後退用バネとを備えており、該ノズルによる洗浄時には、該洗浄水供給手段から該ノズルに洗浄水が供給され、その水圧により、該ノズルが前進してケーシングから突出し、該洗浄水供給手段からの洗浄水の供給が止まると、該後退用バネの付勢力により該ノズルがケーシング内に後退する衛生洗浄装置において、非洗浄時に該ノズルをケーシングから突出させるノズル突出機構が設けられており、該ノズル突出機構は、該ノズルを突出方向に付勢する突出用バネと、該ノズルを後退位置にて係止するロック機構と
を備えており、該突出用バネの付勢力は、前記後退用バネの付勢力よりも大であり、該ロック機構は、後退位置にある該ノズルを１回押すと係止解除して該ノズルの前進を許容し、前進位置にある該ノズルを後退位置まで押し返すと該ノズルを係止するダブルノック式ロック機構であることを特徴とするものである。
【００１２】
請求項２の衛生洗浄装置は、請求項１において、該ノズル突出機構は、該ノズルの後端側に設けられた、後方へ向って開放する内孔を有するガイドシリンダ部と、該内孔に、後方へ向って伸び出し可能に挿入された伸出体とを備え、前記突出用バネは、該伸出体を該内孔内から後方へ伸び出させる方向へ付勢するものであり、前記ロック機構は、該伸出体が該内孔内から後方へ伸び出すことを阻止するものであることを特徴とするものである。
【００１３】
請求項３の衛生洗浄装置は、請求項２において、該ガイドシリンダ部の内周面には、略前後方向に延在しており、且つ該ガイドシリンダ部の周方向に互いに等間隔に配置された複数のガイド溝と、該ガイド溝の前端がそれぞれ連通しており、該ガイドシリンダ部の周方向に延在した周方向溝とが設けられており、隣り合うガイド溝同士の間における、該周方向溝の底面と該ガイドシリンダ部の内周面との段差面には、該ガイドシリンダ部の周方向に配列された第１及び第２の鋸歯状部が設けられており、該ガイドシリンダ部の後端側には、後方へ向って突設され、且つ該ガイドシリンダ部の周方向に配列された複数の第３の鋸歯状部が突設されており、該伸出体の前端側には、該ガイド溝に係合可能な突起が設けられており、該突起の後端面は、該第１及び第２の鋸歯状部同士の間に噛合可能な鋸歯状となっており、該伸出体の後端側の外周面には、該第３の鋸歯状部に噛合可能な、該伸出体の周方向に配列された複数の第４の鋸歯状部が設けられており、該突起が該第１及び第２の鋸歯状部同士の間に噛合した状態にあっては、該伸出体の該内孔からの後方への伸び出しが阻止されており、ノズルが後方へ押されることにより、該突起が該第１及び第２の鋸歯状部同士の間から前方に離脱すると共に、前記第３の鋸歯状部と第４の鋸歯状部とが噛合して該伸出体が前記ガイドシリンダ部の周方向に回動し、該突起が該第１の鋸歯状部に対面するようになり、次いで、ノズルを後方へ押す力を解除すると、ノズルが前記突出用バネの付勢力により前進して該突起が該第１の鋸歯状部に接触し、該突起が該第１の鋸歯状部に押し退けられるようにして前記ガイド溝内に入り込み、これにより、該伸出体が前記内孔内から後方へ伸び出し可能となり、この結果、該ノズルが前記突出用バネの付勢力により前進して前記ケーシングから突出し、この前進位置にあるノズルを後方へ押し返すと、該突起が該ガイド溝から抜け出して前記周方向溝に入り込むと共に、前記第３の鋸歯状部と第４の鋸歯状部とが噛合して該伸出体が前記ガイドシリンダ部の周方向に回動し、該突起が該第２の鋸歯状部に対面するようになり、その後、ノズルを後方へ押す力を解除すると、ノズルが前記突出用バネの付勢力により前進して該突起が該第２の鋸歯状部に接触し、該突起が該第２の鋸歯状部に沿って前記第１の鋸歯状部側へ移動し、該第１及び第２の鋸歯状部の間に噛合することを特徴とするものである。
【発明の効果】
【００１４】
本発明の衛生洗浄装置においては、便器使用者の臀部等を洗浄する場合には、洗浄水供給手段からノズルに洗浄水が供給され、その水圧により、ノズルがケーシングから便鉢内に突出して、便器使用者の臀部等に向って洗浄水を噴出する。この洗浄水供給手段からの洗浄水の供給が止まると、ノズルが後退用バネの付勢力によりケーシング内に後退する。
【００１５】
本発明の衛生洗浄装置にあっては、ノズルを清掃する場合には、後退位置にあるノズルの先端を１回押して、ロック装置によるノズルの係止を解除する。これにより、ノズルが突出用バネの付勢力により前進してケーシングから突出する。その後、このノズルに水を掛けたり、ノズルをブラシで擦るなどして、ノズルを清掃する。
【００１６】
清掃終了後には、このノズルを後退位置まで押し返す。これにより、ノズルが後退位置にてロック機構により係止される。
【００１７】
このように、本発明の衛生洗浄装置によれば、ノズルに洗浄水が供給されていなくても、後退位置にあるノズルの先端を１回押して、ロック装置によるノズルの係止を解除すると、ノズルが突出用バネの付勢力により前進してケーシングから突出するので、ノズルの清掃時に、ノズルを手で摘んで引っ張り出す必要がなく、衛生的であると共に、清掃作業の作業性も良好である。また、ノズルの清掃時には、ノズルに洗浄水を供給する必要がないので、水を節約することができる。
【００１８】
本発明では、ノズルを後退位置にて係止するロック機構としてダブルノック式のロック機構を用いているので、ノズルの係止解除時及び係止時にはそれぞれノズルを１回押すだけでよく、操作が簡単である。
【００１９】
本発明においては、ノズル突出機構は、ノズルの後端側に設けられた、後方へ向って開放する内孔を有するガイドシリンダ部と、該内孔に、後方へ向って伸び出し可能に挿入された伸出体とを備え、突出用バネは、該伸出体を該内孔内から後方へ伸び出させる方向へ付勢するものであり、ロック機構は、該伸出体が該内孔内から後方へ伸び出すことを阻止するものである構成であってもよい。
【００２０】
本発明の一態様では、ガイドシリンダ部の内周面には、略前後方向に延在しており、且つ該ガイドシリンダ部の周方向に互いに等間隔に配置された複数のガイド溝と、該ガイド溝の前端がそれぞれ連通しており、該ガイドシリンダ部の周方向に延在した周方向溝とが設けられており、隣り合うガイド溝同士の間における、該周方向溝の底面と該ガイドシリンダ部の内周面との段差面には、該ガイドシリンダ部の周方向に配列された第１及び第２の鋸歯状部が設けられており、該ガイドシリンダ部の後端側には、後方へ向って突設され、且つ該ガイドシリンダ部の周方向に配列された複数の第３の鋸歯状部が突設されており、該伸出体の前端側には、該ガイド溝に係合可能な突起が設けられており、該突起の後端面は、該第１及び第２の鋸歯状部同士の間に噛合可能な鋸歯状となっており、該伸出体の後端側の外周面には、該第３の鋸歯状部に噛合可能な、該伸出体の周方向に配列された複数の第４の鋸歯状部が設けられた構成となっている。
【００２１】
このように構成することにより、ダブルノック式ロック機構を簡易な構成にて構築することができる。
【００２２】
この態様にあっては、突起が第１及び第２の鋸歯状部同士の間に噛合した状態にあっては、伸出体の内孔からの後方への伸び出しが阻止されており、ノズルが後退位置に係止される。
【００２３】
この状態において、ノズルが後方へ押されることにより、該突起が該第１及び第２の鋸歯状部同士の間から前方に離脱すると共に、前記第３の鋸歯状部と第４の鋸歯状部とが噛合して該伸出体が前記ガイドシリンダ部の周方向に回動し、該突起が該第１の鋸歯状部に対面するようになる。次いで、ノズルを後方へ押す力を解除すると、ノズルが前記突出用バネの付勢力により前進して該突起が該第１の鋸歯状部に接触し、該突起が該第１の鋸歯状部に押し退けられるようにして前記ガイド溝内に入り込み、該伸出体が前記内孔内から後方へ伸び出し可能となる。この結果、該ノズルが前記突出用バネの付勢力により前進して前記ケーシングから突出する。
【００２４】
この前進位置にあるノズルを後方へ押し返すと、該突起が該ガイド溝から抜け出して前記周方向溝に入り込むと共に、前記第３の鋸歯状部と第４の鋸歯状部とが噛合して該伸出体が前記ガイドシリンダ部の周方向に回動し、該突起が該第２の鋸歯状部に対面するようになる。その後、ノズルを後方へ押す力を解除すると、ノズルが前記突出用バネの付勢力により前進して該突起が該第２の鋸歯状部に接触し、該突起が該第２の鋸歯状部に沿って前記第１の鋸歯状部側へ移動し、該第１及び第２の鋸歯状部の間に噛合する。これにより、再び伸出体の内孔からの後方への伸び出しが阻止され、ノズルが後退位置に係止される。
【発明を実施するための最良の形態】
【００２５】
以下に、図面を参照して本発明の実施の形態について説明する。
【００２６】
第１図は実施の形態に係る衛生洗浄装置を備えた洋風便器の斜視図、第２〜４図はこの衛生洗浄装置の構成を概略的に示す、ケーシングとしての便座ボックスの前部付近の縦断面図、第５図はノズル本体の斜視図、第６図（ａ）はこのノズル本体の側面図、第６図（ｂ）は第５図のVIＢ−VIＢ線に沿う断面図、第７図は第６図（ｂ）のVII−VII線に沿う断面図、第８図は第７図のVIII線に沿って展開したガイドシリンダ部の内周面の展開図、第９図は伸出体の斜視図、第１０図はこの伸出体の側面図、第１１図は第１０図のXI−XI線矢視図、第１２〜１９図はロック機構の作動を示す、ノズルの縦断面図である。
【００２７】
なお、第２図はノズルが便座ボックス内に後退した状態を示し、第３図はノズルが洗浄水の水圧により便座ボックスから突出した状態を示し、第４図はノズルが突出バネの付勢力により便座ボックスから突出した状態を示している。
【００２８】
また、第１２図はノズルが後退位置に係止された状態を示し、第１３〜１５図はこのノズルの係止が解除されるまでを示し、第１６図はノズルの係止が解除され、ノズルが突出した状態を示し、第１７〜１９図はこの突出したノズルが後退位置に係止されるまでを示している。
【００２９】
洋風便器１の後部上面にケーシングとしての便座ボックス２が設置され、この便座ボックス２の前部が該洋風便器１の鉢部に臨んでいる。この便座ボックス２の前部には、便座３及び便蓋４が上下方向回動可能に取り付けられている。なお、ケーシングとしては、便座ボックスの代わりにロータンクカバーが採用されてもよい。
【００３０】
便座ボックス２内には、便座３に着座した用便者の臀部等を洗浄水（例えば温水）で洗浄するためのノズル１１と、この洗浄水を貯留するための洗浄水タンク（図示略）と、該洗浄水タンクからノズル１１に洗浄水を供給するための給水ポンプ（図示略）等を備えた衛生洗浄装置１０が設置されている。便座ボックス２の前端面には、ノズル１１を洋風便器１の鉢部内に突出させるための開口５が設けられている。なお、第１図に示すように、この実施の形態では、衛生洗浄装置１０は、シャワー洗浄用及びビデ洗浄用の２本のノズル１１（１１Ａ，１１Ｂ）を備えている。
【００３１】
なお、図示はしないが、便座ボックス２内には、衛生洗浄装置１０の他に、温風乾燥装置や脱臭装置なども設置されている。これらの装置は、リモコン（図示略）のスイッチ操作に基づいて作動する。
【００３２】
この衛生洗浄装置１０のノズル１１は、略前後方向に延在した略円筒形状のシリンダ１２と、該シリンダ１２内に配置されており、該シリンダ１２から前方に突出可能なノズル本体２０と、該ノズル本体２０を後退方向に付勢する後退用バネ１３と、非洗浄水時に該ノズル本体２０をシリンダ１２から前方に突出させる突出機構４０等を有する。
【００３３】
該シリンダ１２は、第２〜４図のように、その前端が便座ボックス２の内側から開口５に臨むように配置されている。このシリンダ１２の後端側に給水口１４が設けられている。この給水口１４に前記洗浄水タンクからの給水用配管（図示略）が接続されている。
【００３４】
第６図（ａ），（ｂ）に示すように、ノズル本体２０は、略前後方向に延在した細長い棒状のものであり、その前端部の上側の外周面に噴出口２１が設けられている。このノズル本体２０の後端側には、後方に向って開放した内孔２３を有する略円筒形状のガイドシリンダ部２２が設けられている。このガイドシリンダ部２２は、該ノズル本体２０と略同軸状に配置されている。また、このガイドシリンダ部２２は、ノズル本体２０よりも大径となっている。ノズル本体２０の内部には給水路２４が延設されており、この給水路２４の前端は噴出口２１に連なり、後端は内孔２４内に連通している。
【００３５】
第２〜４図の通り、シリンダ１２の前端側は、このノズル本体２０のみが通過可能であり、ガイドシリンダ部２２は通過し得ない小径部１５となっている。後退用バネ１３は、ノズル本体２０を取り巻くように配置されており、前端側がこの小径部１５のシリンダ内側面に当接し、後端側がノズル本体２０とガイドシリンダ部２２との段差面に当接している。
【００３６】
なお、シリンダ１２とノズル本体２０又はガイドシリンダ部２２との間には、該ノズル本体２０を、噴出口２１が略上方を向いた姿勢のまま前後移動させるガイド機構（図示略）が設けられている。
【００３７】
該シリンダ１２の後端側の内周面には、該シリンダ１２の直径方向の中心側に張り出す凸段部１６（第３図）が形成されている。前記給水口１４は、この凸段部１６よりも該シリンダ１２の直径方向の中心側に配置されている。
【００３８】
第６図（ａ），（ｂ）の通り、ガイドシリンダ部２２の後端側は小径部２５となっている。この小径部２５の後端面から後方に向って複数の鋸歯状突起２６が突設されている。これらの鋸歯状突起２６は、該小径部２５の全周にわたって配列されている。
【００３９】
ガイドシリンダ部２２の内周面には、該ガイドシリンダ部２２の軸心方向に延在する複数のガイド溝２７が延設されている。この実施の形態では、第７図に示すように、４条のガイド溝２７が設けられている。第７，８図の通り、これらのガイド溝２７は、ガイドシリンダ部２２の周方向に等間隔に配置され、且つ互いに平行に延在している。
【００４０】
第６図（ａ），（ｂ）に示すように、ガイドシリンダ部２２の内周面の前端側（内孔２３の最奥側）には、該ガイドシリンダ部２２の周方向に延在した周方向溝２８が設けられている。各ガイド溝２７の前端は、この周方向溝２８に連通している。この周方向溝２８は、ガイドシリンダ部２２の全周にわたって連続した無端周回溝である。
【００４１】
第６図（ｂ）及び第８図の通り、各ガイド溝２７の後端は、ガイドシリンダ部２２の内周面の後端よりも前端側に位置している。即ち、各ガイド溝２７は、ガイドシリンダ部２２の後端面には連通していない。
【００４２】
第６図（ｂ）及び第８図に示すように、隣り合うガイド溝２７，２７同士の間におけるガイドシリンダ部２２の内周面２９と、周方向溝２８との段差面には、それぞれ、該ガイドシリンダ部２２の前端側に向って凸となる１対の鋸歯状部３０，３１が形成されている。これらの鋸歯状部３０，３１は、該ガイドシリンダ部２２の周方向に隣接している。
【００４３】
突出機構４０は、ガイドシリンダ部２２の後方から該ガイドシリンダ部２２の内孔２３内に、後方へ向って伸び出し可能に挿入された略円柱形状の伸出体４１と、この伸出体４１を該内孔２３内から後方へ伸び出させるように付勢する突出用バネ４２等を備えている。伸出体４１には、該伸出体４１をその軸心方向に貫通した給水路４３が設けられている。
【００４４】
この伸出体４１の前端側の外周面から放射状に、各ガイド溝２７に係合可能な複数の突起４４が突設されている。第９，１１図の通り、この実施の形態では、４個の突起４４が設けられている。これらの突起４４は、伸出体４１の周方向に等間隔に配置されている。これらの突起４４がそれぞれガイド溝２７に沿って摺動することにより、伸出体４１が内孔２３内を前後に移動する。
【００４５】
伸出体４１が内孔２３内に後退し、各突起４４が各ガイド溝２７から周方向溝２８に入り込んだ状態においては、各突起４４が該周方向溝２８に沿ってガイドシリンダ部２２の周方向に移動することにより、伸出体４１がその軸心回りに回動可能となる。
【００４６】
各突起４４の後端面４４ａ（第１０図）は、この周方向溝２８に臨む前記鋸歯状部３０，３１同士の間に噛合可能な鋸歯状となっている。
【００４７】
各突起４４が各鋸歯状部３０，３１同士の間に噛合することにより、該伸出体４１が内孔２３から後方に伸び出すこと、及び該伸出体４１がその軸心回りに回動することが阻止される。
【００４８】
なお、本発明においては、該内孔２３内からの伸出体４１の後方への伸び出し量は、３〜５ｃｍ程度であることが好ましい。
【００４９】
伸出体４１の後端側は大径部４５となっている。この大径部４５の外径は、ガイドシリンダ部２２の小径部２５の外径と略同じ大きさとなっている。この大径部４５の外周面と、伸出体４１の該大径部４５よりも前端側の外周面との間の段差面には、該小径部２５の後端面に配設された鋸歯状突起２６と噛合可能な複数の鋸歯状部４６が形成されている。これらの鋸歯状部４６も、伸出体４１の全周にわたって配列されている。
【００５０】
この鋸歯状部４６は、第１２図に示すように、各突起４４が各鋸歯状部３０，３１同士の間に噛合した状態において、該小径部２５の後端面の鋸歯状突起２６に対し、略半ピッチずつずれて対面するように配置されている。
【００５１】
この実施の形態では、これらの鋸歯状突起２６、ガイド溝２７、鋸歯状部３０，３１、突起４４及び鋸歯状部４６により、ノズル本体２０を後退位置にて係止するダブルノック式ロック機構が構成されている。このロック機構の作動は後で詳しく述べる。
【００５２】
大径部４５の後端部には、該大径部４５の外周面から放射状に張り出すフランジ部４７が周設されている。このフランジ部４７とシリンダ１２の内周面との間には、これらの間を水密にシールし、且つ該フランジ部４７がシリンダ１２の内周面に沿って前後に移動することを許容するパッキン（図示略）が設けられている。
【００５３】
このフランジ部４７の外径は、シリンダ１２の後端側の前記凸段部１６の内側の径よりも大となっている。ノズル本体２０がシリンダ１２内に後退した場合には、このフランジ部４７が該凸段部１６に当接する。
【００５４】
前記突出用バネ４２は、ガイドシリンダ部２２の小径部２５と伸出体４１の大径部４５とを取り巻くように配置されており、後端側がこのフランジ部４７に当接し、前端側が、該小径部２５の外周面とガイドシリンダ部２２の外周面との段差面に当接している。
【００５５】
本発明においては、この突出用バネ４２のバネ定数は、後退用バネ１３のバネ定数の１．０〜２．７倍程度であることが好ましい。
【００５６】
前記シリンダ１２の前後方向の長さは、第２図に示すように、伸出体４１がガイドシリンダ部２２の内孔２３内に後退し、且つ該伸出体４１の前端側の各突起４４が各鋸歯状部３０，３１同士の間に噛合した状態における、ノズル本体２０の前端部から該伸出体４１の後端側のフランジ部４７までの長さと略同程度の長さとなっている。
【００５７】
このように構成された衛生洗浄装置１０においては、ノズル１１の清掃時等以外の通常の使用時には、第１２図に示すように、伸出体４１がガイドシリンダ部２２の内孔２３内に後退し、且つその前端側の各突起４４が各鋸歯状部３０，３１同士の間に噛合して、該伸出体４１の後方への伸び出しが阻止された状態となっている。
【００５８】
この状態にあっては、第２図のように、ノズル本体２０は後退用バネ１３の付勢力によりシリンダ１２内に後退し、便座ボックス２から突出していない。
【００５９】
リモコンのシャワー洗浄スイッチ又はビデ洗浄スイッチが操作されると、前記給水ポンプが作動して給水口１４からシリンダ１２内に洗浄水が供給される。この場合、第３図のように、この洗浄水の給水圧により、伸出体４１の後端のフランジ部４７が前方に押され、伸出体４１、ガイドシリンダ部２２及びノズル本体２０が一体に前進する。これにより、ノズル本体２０がシリンダ１２から前方へ進出し、便座ボックス２の開口５を通って洋風便器１の便鉢内に突出する。
【００６０】
また、この際、洗浄水は、伸出体４１の後端から給水路４３、ガイドシリンダ部２２の内孔２３内、及びノズル本体２０の給水路２４を通って噴出口２１に達し、該噴出口２１から上方へ向って噴出する。これにより、便器使用者の臀部等が洗浄水で洗浄される。
【００６１】
リモコンの洗浄停止スイッチが操作されると、給水ポンプが作動を停止し、シリンダ１２内への洗浄水の供給が止まる。これにより、前記フランジ部４７を前方へ押す水圧が消失して、ノズル本体２０が後退用バネ１３の付勢力により後退し、第２図の状態に戻る。
【００６２】
ノズル１１の清掃時には、給水ポンプが作動していない第２図の状態において、開口５を介してノズル本体２０の前端を後方へ押す。この場合、第１３図のように、伸出体４１の前端側の各突起４４が各鋸歯状部３０，３１同士の間から前方へ離脱すると共に、ガイドシリンダ部２２の後端側の鋸歯状突起２６が該伸出体４１の後端側の鋸歯状部４６に接触する。
【００６３】
そこからさらにノズル本体２０を後方へ押すと、第１４図のように、鋸歯状突起２６と鋸歯状部４６とが徐々に深く噛み合っていき、これに伴って伸出体４１が軸心回りに回動する。このとき、各突起４４は周方向溝２８に沿ってガイドシリンダ部２２の周方向に移動し、各鋸歯状部３０，３１同士の間に対面する位置から、一方の鋸歯状部３１に対面する位置に移動する。
【００６４】
鋸歯状突起２６と鋸歯状部４６とが噛合してノズル本体２０の後退が停止したときに、このノズル本体２０の押し込みを解除する。これにより、ノズル本体２０が突出用バネ４２の付勢力により前方に移動する。この場合、第１５図のように、伸出体４１の各突起４４が鋸歯状部３１に接触する。そこからさらにノズル本体２０が前方移動することにより、各突起４４が該鋸歯状部３１に押し退けられるようにして各ガイド溝２７内に入り込む。
【００６５】
これにより、伸出体４１の係止が解除され、伸出体４１がガイドシリンダ部２２の内孔２３内から後方へ伸び出し可能となる。
【００６６】
この場合、第１６図に示すように、伸出体４１の後端側のフランジ部４７がシリンダ１２の後端側の凸段部１６に当接しているので、このフランジ部４７から反力を受けて、突出用バネ４２の付勢力によりノズル本体２０が前方へ押し出される。この結果、第４図のように、ノズル本体２０が便座ボックス２の開口５を通って洋風便器１の便鉢内に突出する。
【００６７】
この状態で、ノズル本体２０に水を掛けたり、ノズル本体２０をブラシで擦るなどして、ノズル本体２０を清掃する。
【００６８】
清掃終了後、ノズル本体２０を後方へ押し戻す。この場合、第１７図のように、各突起４４が各ガイド溝２７から抜け出して周方向溝２８内に入り込むと共に、鋸歯状突起２６が鋸歯状部４６に接触する。
【００６９】
そこからさらにノズル本体２０を後方へ押すと、第１８図のように、鋸歯状突起２６と鋸歯状部４６とが徐々に深く噛み合っていき、これに伴って伸出体４１が軸心回りに回動する。このとき、各突起４４は周方向溝２８に沿ってガイドシリンダ部２２の周方向に移動し、各ガイド溝２７に臨む位置から、各鋸歯状部３０に対面する位置に移動する。
【００７０】
鋸歯状突起２６と鋸歯状部４６とが噛合してノズル本体２０の後退が停止したときに、このノズル本体２０の押し込みを解除する。これにより、ノズル本体２０が突出用バネ４２の付勢力により前方に移動する。この場合、第１９図のように、伸出体４１の各突起４４が鋸歯状部３０に接触する。そこからノズル本体２０が若干前方へ移動することにより、各突起４４が該鋸歯状部３０に沿って鋸歯状部３１側へ移動してこれらの鋸歯状部３０，３１同士の間に噛合し、第１２図の状態に復帰する。これにより、伸出体４１の内孔２３内からの伸び出しが阻止された状態となり、ノズル本体２０が後退位置に係止される。
【００７１】
以上のように、この衛生洗浄装置１０によれば、ノズル１１に洗浄水が供給されていなくても、後退位置にあるノズル本体２０の前端を１回押すと、伸出体４１の係止が解除され、ノズル本体２０が突出用バネ４２の付勢力により前方へ押し出されて便座ボックス２から洋風便器１の便鉢内に突出するので、ノズル１１の清掃時に、ノズル本体２０を手で摘んで引っ張り出す必要がなく、衛生的であると共に、清掃作業の作業性も良好である。また、ノズル１１の清掃時には、ノズル１１に洗浄水を供給する必要がないので、水を節約することができる。
【００７２】
この衛生洗浄装置１０にあっては、ノズル本体２０を後退位置にて係止するロック機構としてダブルノック式のロック機構を用いているので、ノズル本体２０の係止解除時及び係止時にはそれぞれノズル本体２０を１回押すだけでよく、操作が簡単である。
【００７３】
なお、上記の実施の形態は、本発明の一例を示すものであり、本発明は上記の実施の形態に限定されない。
【００７４】
例えば、ノズル本体２０を後退位置に係止するロック機構は、上記以外の構成とされてもよい。
【図面の簡単な説明】
【００７５】
【図１】実施の形態に係る衛生洗浄装置を備えた洋風便器の斜視図である。
【図２】図１の衛生洗浄装置の構成を概略的に示す、便座ボックスの前部付近の縦断面図である。
【図３】図１の衛生洗浄装置の構成を概略的に示す、便座ボックスの前部付近の縦断面図である。
【図４】図１の衛生洗浄装置の構成を概略的に示す、便座ボックスの前部付近の縦断面図である。
【図５】図１の衛生洗浄装置のノズル本体の斜視図である。
【図６】図１の衛生洗浄装置のノズル本体の側面図及び断面図である。
【図７】図６（ｂ）のVII−VII線に沿う断面図である。
【図８】図７のVIII線に沿って展開したガイドシリンダ部の内周面の展開図である。
【図９】図１の衛生洗浄装置の伸出体の斜視図である。
【図１０】図１の衛生洗浄装置の伸出体の側面図である。
【図１１】図１０のXI−XI線矢視図である。
【図１２】図１の衛生洗浄装置のロック機構の作動を示す、ノズルの縦断面図である。
【図１３】図１の衛生洗浄装置のロック機構の作動を示す、ノズルの縦断面図である。
【図１４】図１の衛生洗浄装置のロック機構の作動を示す、ノズルの縦断面図である。
【図１５】図１の衛生洗浄装置のロック機構の作動を示す、ノズルの縦断面図である。
【図１６】図１の衛生洗浄装置のロック機構の作動を示す、ノズルの縦断面図である。
【図１７】図１の衛生洗浄装置のロック機構の作動を示す、ノズルの縦断面図である。
【図１８】図１の衛生洗浄装置のロック機構の作動を示す、ノズルの縦断面図である。
【図１９】図１の衛生洗浄装置のロック機構の作動を示す、ノズルの縦断面図である。
【符号の説明】
【００７６】
１  洋風便器
２  便座ボックス
３  便座
４  便蓋
５  開口
１０  衛生洗浄装置
１１  ノズル
１２  シリンダ
１３  後退用バネ
２０  ノズル本体
２２  ガイドシリンダ部
２３  内孔
２６  鋸歯状突起
２７  ガイド溝
２８  周方向溝
３０，３１  鋸歯状部
４０  突出機構
４１  伸出体
４４  突起
４６  鋸歯状部
４７  フランジ部
【図１】
2008214938.tif 000003
【図２】
2008214938.tif 000004
【図３】
2008214938.tif 000005
【図４】
2008214938.tif 000006
【図５】
2008214938.tif 000007
【図６】
2008214938.tif 000008
【図７】
2008214938.tif 000009
【図８】
2008214938.tif 000010
【図９】
2008214938.tif 000011
【図１０】
2008214938.tif 000012
【図１１】
2008214938.tif 000013
【図１２】
2008214938.tif 000014
【図１３】
2008214938.tif 000015
【図１４】
2008214938.tif 000016
【図１５】
2008214938.tif 000017
【図１６】
2008214938.tif 000018
【図１７】
2008214938.tif 000019
【図１８】
2008214938.tif 000020
【図１９】
2008214938.tif 000021